(57)【要約】【課題】ＰＢＸのＯＤトランクとゲートウエイ間のケーブル接続の不良箇所を容易に検出することができるケーブル接続確認装置を提供する。【解決手段】交換機側のケーブルが接続されるモジュラーローゼットにコネクタＣＮ１を接続し、コネクタＣＮ２にはゲートウエイからのＬＡＮケーブルを接続する。スイッチＳＷＡをオンにすると、交換機のＳＲ信号線に接続されたＬＥＤが点灯する。スイッチＳＷＢをオンにすると、ＳＳ信号線に接続されたＬＥＤが点灯する。スライドスイッチＳＳＷＲ，ＳＳＷＴをスライドすることで、音声信号用の信号線対を探すことができる。また、切替スイッチＣＳＷ１〜ＣＳＷ８とロータリスイッチＲＳＷ１〜ＲＳＷ８を併用することで、コネクタＣＮ１，ＣＮ２間の接続を自由に切り替えることができる。【選択図】図１
2007295376.tif 000002
【特許請求の範囲】
【請求項１】
モジュラーローゼットを介して交換機のＯＤトランクとゲートウエイを接続するために該モジュラーローゼットとＯＤトランクの間に敷設されたケーブルの接続状態を確認するケーブル接続確認装置であって、
前記モジュラーローゼットのモジュラージャックに接続するための第１のコネクタと、
前記ゲートウエイからのケーブルを接続するための第２のコネクタと、
前記第１のコネクタの各端子に印加される信号の内で負極性の信号が与えられる端子を手動操作に応じて表示するための第１のスイッチ及び第１の表示器と、
前記第１のコネクタの各端子に印加される信号の内で正極性の信号が与えられる端子を手動操作に応じて表示するための第２のスイッチ及び第２の表示器と、
前記第１のコネクタの各端子を前記第２のコネクタの中から選択した任意の端子に接続するための第３のスイッチと、
前記第１のコネクタの端子から任意の２つを選択して送話器または受話器に接続するための第４のスイッチとを、
備えたことを特徴とするケーブル接続確認装置。
【発明の詳細な説明】
【技術分野】
【０００１】
本発明は、ＰＢＸ（Private  Branch  Exchange）等の交換機のＯＤ（Outband  Dial）トランクとＶｏＩＰ（Voice  over  Internet  Protocol）ゲートウエイ（以下、単に「ゲートウエイ」という）を接続するケーブルの接続が正常であるか否かを確認するためのケーブル接続確認装置に関するものである。
【背景技術】
【０００２】
図３は、ＰＢＸとゲートウエイの一般的な接続形態を示す構成図である。
このＰＢＸ１は、中継回線に接続するための４線式のＯＤトランク１０を有している。４線式のＯＤトランク１０は、１回線に対して、音声送信用のＴＡ，ＴＢ信号及び音声受信用のＲＡ，ＲＢ信号の４線に加えて、制御用のＳＳ信号及びＳＲ信号の合計６本の信号線を処理するインタフェース回路である。
【０００３】
このＯＤトランク１０は、音声信号を送受信する送受信部１１と、ＳＳ信号を出力するためのスイッチ１２と、ＳＲ信号を検出するためのフォトカプラ１３を有している。スイッチ１２は、接地電位ＳＧとの間をオン／オフすることにより、相手側に情報を伝達するものである。一方、フォトカプラ１３は、−２４Ｖまたは−４８Ｖの電源１４を介して接地電位ＳＧに接続され、流れる電流を検出することにより、相手側から送られてくるＳＳ信号を受信するものである。このＯＤトランク１０では、これらの６個の信号は、半田端子やねじ端子によって、ケーブル３に接続されるようになっている。
【０００４】
一方、ゲートウエイ２側でも、ＰＢＸ１側のＯＤトランク１０に対応するために、送受信部２１と、スイッチ２２と、フォトカプラ２３及び−２４Ｖの電源２４等のインタフェース回路を有している。しかし、ゲートウエイ２側でのケーブル４との接続は、８ピンのモジュラージャック２５を用いて行われるようになっている。
【０００５】
このため、ゲートウエイ２の近くにモジュラーローゼット５を設け、ゲートウエイ２側からのケーブル４とＰＢＸ１側のケーブル３との接続を行うようにしている。
【０００６】
モジュラーローゼット５は、ＬＡＮ（Local  Area  Network）を構成するときに情報コンセント等として使用されるもので、８個のねじ端子５１と８ピンのモジュラージャック５２を一体化して、ねじ端子５１と対応するモジュラージャック５２のピンの間を接続したものである。ＰＢＸ１からのケーブル３の一端を対応するねじ端子５１に接続し、モジュラージャック５２にはゲートウエイ２からのＬＡＮケーブル４のモジュラープラグを差し込むようになっている。
【０００７】
なお、下記特許文献１には、ＰＢＸからのケーブルが接続されるローゼットが記載されている。また、特許文献２，３には、それぞれＬＡＮケーブル、及びＯＤインタフェースに関する記載がある。
【０００８】
【特許文献１】特開平７−４６２９７号公報
【特許文献２】特開平１０−１１２７３０号公報
【特許文献３】特開２００３−１８９３８０号公報
【発明の開示】
【発明が解決しようとする課題】
【０００９】
しかしながら、前記ＰＢＸ１とゲートウエイ２の接続形態では、ゲートウエイ２とモジュラーローゼット５の間は、工場で製造されて両端にモジュラープラグが接続されたＬＡＮケーブル４を接続するだけであるので問題は生じないが、ＰＢＸ１とモジュラーローゼット５の間は、現場でのケーブル敷設工事が必要であり、ケーブル３は、一般的にＭＤＦ（Main  Distribution  Frame）等の端子盤６を経由してＰＢＸ１に接続されるので、結線ミスが発生して正しく動作しないという状態が多々発生している。
【００１０】
ケーブルの結線ミスにより正しく動作しない場合は、次のようなチェックを行っていた。
（１）  ＰＢＸとゲートウエイを接続した状態で、モジュラーローゼットの２番端子とこのＰＢＸの接地電位ＳＧ間の電圧を測定し、ゲートウエイ側の−２４Ｖの電源が与えられているかを確認する。
（２）  ＰＢＸとゲートウエイを接続した状態で、モジュラーローゼットの７番端子とこのＰＢＸの接地電位ＳＧ間の電圧を測定し、ＰＢＸ側の−２４Ｖまたは−４８Ｖの電源が与えられているかを確認する。
（３）  ＰＢＸ側のＳＳ信号とＳＧを短絡して、ゲートウエイ側のビジーランプが点灯することを確認する。
【００１１】
また、音声が正常に伝わっていない場合は、クリスタルイヤホンをモジュラーローゼットの端子に直接接続し、音声の聞こえる端子を探していた。更に、端子盤とＰＢＸの間の接続や、端子盤のジャンパ線等の接続状態も確認する必要がある。
【００１２】
このように、従来の接続形態では、正常に接続できなかった場合に、その原因究明のために非常に手間がかかるという課題があった。
【００１３】
本発明は、ＰＢＸとゲートウエイ間の間に敷設されたケーブルの接続誤りを容易に検出することができるケーブル接続確認装置を提供することを目的としている。
【課題を解決するための手段】
【００１４】
本発明は、モジュラーローゼットを介して交換機のＯＤトランクとゲートウエイを接続するために該モジュラーローゼットとＯＤトランクの間に敷設されたケーブルの接続状態を確認するケーブル接続確認装置を、次のように構成している。
【００１５】
即ち、このケーブル接続確認装置は、モジュラーローゼットのモジュラージャックに接続するための第１のコネクタと、ゲートウエイからのケーブルを接続するための第２のコネクタと、第１のコネクタの各端子に印加される信号の内で負極性の信号が与えられる端子を手動操作に応じて表示するための第１のスイッチ及び第１の表示器と、第１のコネクタの各端子に印加される信号の内で正極性の信号が与えられる端子を手動操作に応じて表示するための第２のスイッチ及び第２の表示器と、第１のコネクタの各端子を前記第２のコネクタの中から選択した任意の端子に接続するための第３のスイッチと、第１のコネクタの端子から任意の２つを選択して送話器または受話器に接続するための第４のスイッチとを備えたことを特徴としている。
【発明の効果】
【００１６】
本発明では、モジュラーローゼットを介して交換機のケーブルに接続される第１のコネクタの各端子に印加される信号の内で負極性の信号が与えられる端子を手動操作に応じて表示するための第１のスイッチ及び第１の表示器を有しているので、ＳＲ信号が印加される信号線を容易に識別することができる。また、第１のコネクタの各端子に印加される信号の内で正極性の信号が与えられる端子を手動操作に応じて表示するための第２のスイッチ及び第２の表示器を有しているので、ＳＳ信号が印加される信号線を容易に識別することができる。
【００１７】
また、モジュラーローゼットに接続される第１のコネクタの各端子を、ゲートウエイに接続される第２のコネクタの中から選択した任意の端子に接続するための第３のスイッチを有しているので、容易に接続変更して状態を確認することができる。更に、第１のコネクタの端子から任意の２つを選択して送話器または受話器に接続するための第４のスイッチを備えているので、音声信号が送受される信号線を容易に検出することができる。従って、これらの各スイッチを適宜操作することにより、ＰＢＸとゲートウエイの間に敷設されたケーブルの接続誤りを容易に検出することができるという効果がある。
【発明を実施するための最良の形態】
【００１８】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００１９】
図１は、本発明の実施例を示すケーブル接続確認装置の構成図である。
このケーブル接続確認装置は、図２において、モジュラーローゼット５とＬＡＮケーブル４の間に挿入するもので、ＬＡＮケーブルを介してモジュラーローゼットのモジュラージャックに接続するためのコネクタＣＮ１と、ゲートウエイからのＬＡＮケーブル４を接続するためのコネクタＣＮ２を有している。
【００２０】
コネクタＣＮ１の端子１〜端子８は、８回路のスイッチＳＷＡを介してＬＥＤ（Light  Emitting  Diode）ＬＡ１〜ＬＡ８の陰極に接続されている。スイッチＳＷＡは、手動操作によってコネクタＣＮ１の端子１〜端子８とＬＥＤＬＡ１〜ＬＡ８の陽極の間を一括してオン／オフするものである。また、ＬＥＤＬＡ１〜ＬＡ８の陽極は共通接続され、電流制限用の抵抗ＲＡを介して接地端子ＴＧに接続されている。なお、接地端子ＴＧは、ＰＢＸの接地電位ＳＧに接続するための端子である。従って、スイッチＳＷＡをオンにすることにより、コネクタＣＮ１の各端子の内で、負極性の信号が与えられた端子に対応するＬＥＤのみが点灯するようになっている。
【００２１】
コネクタＣＮ１の端子１〜端子８は、また、８回路のスイッチＳＷＢを介してＬＥＤＬＢ１〜ＬＢ８の陽極に接続されている。このスイッチＳＷＢも、手動操作によってコネクタＣＮ１の端子１〜端子８とＬＥＤＬＢ１〜ＬＢ８の陽極の間を一括してオン／オフするものである。また、ＬＥＤＬＡ１〜ＬＡ８の陰極は共通接続され、電流制限用の抵抗ＲＢを介してコネクタＣＮ２の端子２に接続されている。
【００２２】
なお、コネクタＣＮ２は、ＬＡＮケーブル４、ゲートウエイ２側のモジュラージャック２５及びフォトカプラ２３を介して、電源２４の負極に接続されている。従って、スイッチＳＷＢをオンにすることにより、コネクタＣＮ１の各端子の内で正極性の信号が与えられた端子に対応するＬＥＤのみが点灯するようになっている。
【００２３】
更に、コネクタＣＮ１の端子１〜端子８は、それぞれ切替スイッチＣＳＷ１〜ＣＳＷ８の接点ａに接続されている。切替スイッチＣＳＷ１〜ＣＳＷ８は、それぞれ接点ａ，ｂ，ｃを有し、手動操作によって接点ａを、接点ｂ，ｃのいずれか一方に接続するものである。切替スイッチＣＳＷ１〜ＣＳＷ８の接点ｂは、それぞれロータリスイッチＲＳＷ１〜ＲＳＷ８の接点ｒに接続されている。ロータリスイッチＲＳＷ１〜ＲＳＷ８は、それぞれ接点ｒ，１，２，３，４，５，６，７，８を有し、手動操作によって接点ｒを、接点１〜８のいずれか１つに接続するものである。これらのロータリスイッチＲＳＷ１〜ＲＳＷ８の接点１〜８は、それぞれコネクタＣＮ２の端子１〜端子８に共通接続されている。
【００２４】
一方、切替スイッチＣＳＷ１〜ＣＳＷ８の接点ｃは、スライドスイッチＳＳＷＲ，ＳＳＷＴに接続されている。スライドスイッチＳＳＷＲ，ＳＳＷＴは、同様の構成で、切替スイッチＣＳＷ１〜ＣＳＷ８の接点ｃに接続する８本の信号線の中から任意の２つを選択して接続するもので、スライドバーを手動で操作することによって、すべての組み合わせとなる２８種類と無接続の２９種類の中から１つを選択できるようになっている。スライドスイッチＳＳＷＲで選択された１対の信号線はイヤホンジャックＪＲに、スライドスイッチＳＳＷＴで選択された１対の信号線はマイクジャックＪＴに、それぞれ接続されている。
【００２５】
次に、図１のケーブル接続確認装置を用いたケーブル接続の確認作業を説明する。
（１）  モジュラーローゼット５とゲートウエイ２の間にこのケーブル接続確認装置を接続する前に、まず、本装置のスイッチを次のように設定する。
【００２６】
スイッチＳＷＡ，ＳＷＢはオフ、切替スイッチＣＳＷ１〜ＣＳＷ８は接点ｃ側、スライドスイッチＳＳＷＲ，ＳＳＷＴは無接続を選択する。また、イヤホンジャックＪＲとマイクジャックＪＴに、クリスタルイヤホンとクリスタルマイクロホンをそれぞれ挿入する。
【００２７】
（２）  ＰＢＸ１に接続されるモジュラーローゼット５のモジュラージャック５２と本装置のコネクタＣＮ１をＬＡＮケーブルで接続すると共に、ゲートウエイ２からのＬＡＮケーブル４のモジュラープラグを本装置のコネクタＣＮ２に接続する。
【００２８】
（３）  スイッチＳＷＡをオンにする。これにより、ＰＢＸ側の全信号はＬＥＤＬＡ１〜ＬＡ８と抵抗ＲＡを経由して、このＰＢＸの接地電位ＳＧに接続される。その際、ＰＢＸのＳＲ信号に接続されている信号線のみが−２４Ｖまたは−４８Ｖの負電位となり、この負極性のＳＲ信号が接続されている回路だけに電流が流れ、ＬＥＤＬＡ１〜ＬＡ８のどれか１つだけが点灯する。この点灯したＬＥＤの番号ｘを記録しておく。どのＬＥＤも点灯しなければ、ＳＲ信号の信号線の断線または接続不良であるので、その旨を記録しておく。
【００２９】
（４）  スイッチＳＷＡをオフにする。
（５）  スイッチＳＷＢをオンにする。
【００３０】
（６）  ＰＢＸ１に収容されている電話機から、ゲートウエイ２と接続しているＯＤトランク１０を捕捉するように発信操作を行う（即ち、ゲートウエイ２に接続されるＩＰ電話番号をダイヤルする）。これにより、ＯＤトランク１０のＳＳ信号のスイッチ１２がオン／オフ動作を行う。従って、ＬＥＤＬＢ１〜ＬＢ８の内で、ＳＳ信号の信号線に接続されたＬＥＤの陽極に正極性の電圧が印加され、このＬＥＤを通してゲートウエイ２側の電源２４に電流が流れるので、ＬＥＤＬＢ１〜ＬＢ８のどれか１つだけが点滅する。この点滅したＬＥＤの番号ｙを記録しておく。どのＬＥＤも点滅しなければ、ＳＳ信号の信号線の断線または接続不良であるので、その旨を記録しておく。
【００３１】
（７）  スイッチＳＷＢをオフにする。
（８）  （３）で記録しておいた番号ｘと同じ番号の切替スイッチＣＳＷｘを接点ｂ側に切り替え、この接点ｂに接続されるロータリスイッチＲＳＷｘで接点７（即ち、コネクタＣＮ２の端子７＝ゲートウエイのＳＳ信号）を選択する。
【００３２】
（９）  （６）で記録しておいた番号ｙと同じ番号の切替スイッチＣＳＷｙを接点ｂ側に切り替え、この接点ｂに接続されるロータリスイッチＲＳＷｙで接点２（即ち、コネクタＣＮ２の端子２＝ゲートウエイのＳＲ信号）を選択する。
【００３３】
（１０）  ＰＢＸ１に収容されている電話機からゲートウエイ２と接続しているＯＤトランク１０を捕捉するように発信操作を行い、接続先のＩＰ電話機で応答する。この状態でスライドスイッチＳＳＷＲをスライドさせながら、発信操作をしたＰＢＸ加入の電話機で話した声がクリスタルイヤホンに聞こえる回路番号を記録する。
【００３４】
（１１）  （１０）で記録したスライドスイッチＳＳＷＲの回路番号から、該当するＰＢＸ側コネクタＮＣ１の端子番号ｊ，ｋを割り出し、その番号ｊ，ｋと同じ番号の切替スイッチＣＳＷｊ，ＣＳＷｋを、それぞれ接点ｂ側に切り替える。更に、切替スイッチＣＳＷｊの接点ｂに接続されるロータリスイッチＲＳＷｊで接点３（即ち、コネクタＣＮ２の端子３＝ゲートウエイの受話信号）を選択する。また、切替スイッチＣＳＷｋの接点ｂに接続されるロータリスイッチＲＳＷｋで接点６（即ち、コネクタＣＮ２の端子６＝ゲートウエイの受話信号）を選択する。
【００３５】
（１２）  引き続きスライドスイッチＳＳＷＴをスライドさせながら、クリスタルマイクロホンに入力した音声が発信操作をした電話機に聞こえる回路番号を記録する。
【００３６】
（１３）  （１２）で記録したスライドスイッチＳＳＷＴの回路番号から、該当するＰＢＸ側コネクタＮＣ１の端子番号ｍ，ｎを割り出し、その番号ｍ，ｎと同じ番号の切替スイッチＣＳＷｍ，ＣＳＷｎを、それぞれ接点ｂ側に切り替える。更に、切替スイッチＣＳＷｍの接点ｂに接続されるロータリスイッチＲＳＷｍで接点４（即ち、コネクタＣＮ２の端子４＝ゲートウエイの送話信号）を選択する。また、切替スイッチＣＳＷｎの接点ｂに接続されるロータリスイッチＲＳＷｎで接点５（即ち、コネクタＣＮ２の端子５＝ゲートウエイの送話信号）を選択する。
【００３７】
（１４）  （１０）で応答操作したＩＰ電話機と発信操作をした電話機の間で通話確認を行い、問題がなければ、（３），（６）で記録した番号ｘ，ｙ、及び（１１），（１３）で割り出した端子番号ｊ，ｋ，ｍ，ｎに従ってＰＢＸ１側のケーブル芯線の接続変更を行う。
【００３８】
以上のように、本実施例のケーブル接続確認装置は、ＳＳ信号やＳＲ信号が印加される信号線を一見して識別することができるＬＥＤ、ＰＢＸ側の信号線とゲートウエイ側の信号線を任意に切り替えて接続するための切替スイッチとロータリスイッチ、及び任意の１対の信号線を選択して音声信号の有無を確認するためのスライドスイッチを有している。これにより、ＰＢＸとゲートウエイ間に敷設されたケーブルの接続誤り箇所を短時間かつ容易に検出することができ、作業時間の短縮を図ることができるという利点がある。
【００３９】
なお、本発明は、上記実施例に限定されず、種々の変形が可能である。この変形例としては、例えば、次のようなものがある。
（ａ）  ４線式のＯＤインタフェースについて説明したが、１対の信号線で通話信号を双方向に送受信する２線式のＯＤインタフェースに対しても、ほぼ同様に適用することができる。
【００４０】
（ｂ）  表示器としてＬＥＤを使用しているが、ダイオードとランプ等を用いても良い。
（ｃ）  音声信号の確認のためにクリスタルイヤホンとクリスタルマクロホンを使用しているが、その他の送受話装置を使用しても良い。
【００４１】
（ｄ）  任意の１対の信号線を選択してクリスタルイヤホンを接続するためのスライドスイッチＳＳＷＲ及びイヤホンジャックＪＲと、任意の１対の信号線を選択してクリスタルマイクロホンを接続するためのスライドスイッチＳＳＷＴ及びマイクジャックＪＴを備えているが、スライドスイッチとジャックを１組だけ設け、そのジャックにイヤホンとマイクを差し替えて使用するようにしても良い。
【００４２】
（ｅ）  ケーブル接続の確認作業は、例示した手順に限定されない。
（ｆ）  図２は、本発明の変形例を示すケーブル確認装置の構成図である。このケーブル接続確認装置は、ゲートウエイ側に接続されるコネクタＣＮ２と、ロータリスイッチＲＳＷ１〜ＲＳＷ８と、ロータリスイッチＲＳＷ１−切替スイッチＣＳＷ１間〜ロータリスイッチＲＳＷ８−切替スイッチＣＳＷ８間に設けられ接続に係わるセレクタ回路側コネクタＣＮ３、接続ピンＰ１を持つセレクタ回路ＳＥＬとを有する。更に、このケーブル接続確認装置は、ＰＢＸ側に接続されるコネクタＣＮ１、８回路のスイッチＳＷＡ、ＬＥＤＬＡ１〜ＬＡ８、抵抗ＲＡ、８回路のスイッチＳＷＢ、ＬＥＤＬＢ１〜ＬＢ８、抵抗ＲＢ、切替スイッチＣＳＷ１〜ＣＳＷ８と、切替スイッチＣＳＷ１−ロータリスイッチＲＳＷ１間〜切替スイッチＣＳＷ８−ロータリスイッチＲＳＷ８間に設けられ接続に係わる確認回路側コネクタＣＮ４、スライドスイッチＳＳＲＷ，ＳＳＷＴ、接続ピンＰ２を持つ確認回路ＣＨＫに分割される。ここで、セレクタ回路側コネクタＣＮ３と確認回路側コネクタＣＮ４は、例えばＲＪ４５コネクタ（メス型）で構成される。
【００４３】
セレクタ回路ＳＥＬと確認回路ＣＨＫの双方において、セレクタ回路ＳＥＬと確認回路ＣＨＫの間となるセレクタ回路側コネクタＣＮ３−コネクタＣＮ４は、ストレートのツイストペアケーブル（１０ＢＡＳＥ−Ｔ用：ＵＴＰ５）にて接続される。また、接続ピンＰ１と接続ピンＰ２の間は、ジャンパ線等で接続される。
【００４４】
この変形例のケーブル接続確認装置は、動作確認終了後、確認回路ＣＨＫを外して、セレクタ回路ＳＥＬのセレクタ回路側コネクタＣＮ３と図３のモジュラーローゼットをツイストペアケーブルで接続し、セレクタ回路ＳＥＬをそのまま残すことにすれば、配線のやり直しを行う必要が無くなる。
【図面の簡単な説明】
【００４５】
【図１】本発明の実施例を示すケーブル接続確認装置の構成図である。
【図２】本発明の変形例を示すケーブル接続確認装置の構成図である。
【図３】ＰＢＸとゲートウエイの一般的な接続形態を示す構成図である。
【符号の説明】
【００４６】
ＣＮ１，ＣＮ２    コネクタ
ＣＳＷ１〜ＣＳＷ８    切替スイッチ
ＬＡ１〜ＬＡ８，ＬＢ１〜ＬＢ８    ＬＥＤ
ＲＳＷ１〜ＲＳＷ８    ロータリスイッチ
ＳＳＷＲ，ＳＳＷＴ    スライドスイッチ
ＳＷＡ，ＳＷＢ    スイッチ
ＪＲ    イヤホンジャック
ＪＴ    マイクジャック
【図１】
2007295376.tif 000003
【図２】
2007295376.tif 000004
【図３】
2007295376.tif 000005